【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
像担持体上に現像剤による像を形成する像形成手段と、
上記像担持体に沿って走行される搬送部材を有し、この搬送部材上に保持した転写材を上記像担持体上の現像剤像へ搬送する搬送手段と、
この搬送手段にて搬送される転写材へ上記像形成手段にて形成された現像剤像を転写する転写手段と、
上記搬送手段の下流側に近接して設けられ、上記転写手段にて転写材に転写された現像剤像を加熱して溶融し、この現像剤像を転写材に定着させる定着手段と、
上記像形成手段および転写手段を介して上記搬送部材上にパターン画像を形成するパターン画像形成手段と、
上記定着手段に近接して上記搬送部材に対向して配置され、上記パターン画像形成手段にて上記搬送部材上に形成されたパターン画像を検出する検出手段と、
この検出手段が上記搬送部材に対向した検出端部に接触した状態で上記搬送部材との間に介在された第１部分および上記検出手段と定着手段との間に介在された第２部分を有し、上記第１部分が、上記検出端部を上記搬送部材に露出させる孔を有する保護部材と、
上記検出手段にて上記搬送部材上のパターン画像を検出するときに上記検出端部が上記孔を介して上記搬送部材に露出するように上記保護部材を移動させ、パターン画像を検出しないときに上記検出端部を上記第１部分が閉塞するように上記保護部材を移動させる移動手段と、
を備えていることを特徴とする画像形成装置。
【請求項２】
像担持体上に現像剤による像を形成する像形成手段と、
上記像担持体に沿って走行される搬送部材を有し、この搬送部材上に保持した転写材を上記像担持体上の現像剤像へ搬送する搬送手段と、
この搬送手段にて搬送される転写材へ上記像形成手段にて形成された現像剤像を転写する転写手段と、
上記搬送手段の下流側に近接して設けられ、上記転写手段にて転写材に転写された現像剤像を加熱して溶融し、この現像剤像を転写材に定着させる定着手段と、
上記像形成手段および転写手段を介して上記搬送部材上にパターン画像を形成するパターン画像形成手段と、
上記定着手段に近接して上記搬送部材に対向して配置され、上記パターン画像形成手段にて上記搬送部材上に形成されたパターン画像を検出する検出手段と、
この検出手段が上記搬送部材に対向した検出端部に接触した状態で上記搬送部材との間に介在された第１部分および上記検出手段と定着手段との間に介在された第２部分を有し、上記第１部分が、上記検出端部を上記搬送部材に露出させる孔を有する清掃部材と、
上記検出端部が上記孔を介して上記搬送部材に露出する位置に上記清掃部材を付勢する付勢手段と、
この付勢手段による付勢力に抗して上記第１部分が上記検出端部を閉塞する位置へ上記清掃部材を移動させる移動手段と、
を備えていることを特徴とする画像形成装置。
【請求項３】
上記移動手段は、上記パターン画像形成手段にて上記搬送部材上にパターン画像が形成される直前に、上記検出端部を閉塞する位置に上記清掃部材を移動させ、パターン画像が形成された時点で上記検出端部を露出する位置に上記清掃部材を移動させることを特徴とする請求項２記載の画像形成装置。
【請求項４】
像担持体上に現像剤による像を形成する像形成手段と、
上記像担持体に沿って走行される搬送部材を有し、この搬送部材上に保持した転写材を上記像担持体上の現像剤像へ搬送する搬送手段と、
この搬送手段にて搬送される転写材へ上記像形成手段にて形成された現像剤像を転写する転写手段と、
上記搬送手段の下流側に近接して設けられ、上記転写手段にて転写材に転写された現像剤像を加熱して溶融し、この現像剤像を転写材に定着させる定着手段と、
上記像形成手段、搬送手段、転写手段、および定着手段を包囲した筐体を開閉可能に設けられた扉と、
上記像形成手段および転写手段を介して上記搬送部材上にパターン画像を形成するパターン画像形成手段と、
上記定着手段に近接して上記搬送部材に対向して配置され、上記パターン画像形成手段にて上記搬送部材上に形成されたパターン画像を検出する検出手段と、
この検出手段が上記搬送部材に対向した検出端部に接触した状態で上記搬送部材との間に介在された第１部分および上記検出手段と定着手段との間に介在された第２部分を有し、上記第１部分が、上記検出端部を上記搬送部材に露出させる孔を有する清掃部材と、
上記扉が開放している状態で、上記検出端部を閉塞する位置に上記清掃部材を付勢する付勢手段と、
上記扉の閉塞動作に連動して、上記検出端部が上記孔を介して上記搬送部材に露出する位置へ上記清掃部材を移動させる移動手段と、
を備えていることを特徴とする画像形成装置。
【請求項５】
像担持体上に現像剤による像を形成する像形成手段と、
上記像担持体に沿って走行される搬送部材を有し、この搬送部材上に保持した転写材を上記像担持体上の現像剤像へ搬送する搬送手段と、
この搬送手段にて搬送される転写材へ上記像形成手段にて形成された現像剤像を転写する転写手段と、
上記像形成手段、搬送手段、および転写手段を包囲した筐体を開閉可能に設けられた扉と、
上記像形成手段および転写手段を介して上記搬送部材上にパターン画像を形成するパターン画像形成手段と、
上記搬送部材に対向して配置され、上記パターン画像形成手段にて上記搬送部材上に形成されたパターン画像を検出する検出手段と、
この検出手段を上記搬送部材に近接対向した読取位置へ付勢する第１の付勢手段と、
上記検出手段を上記搬送部材から離間した退避位置へ付勢する上記第１の付勢手段より付勢力の大きい第２の付勢手段と、
上記扉の閉塞動作に連動して上記搬送部材に近接対向した検出位置へ上記検出手段を移動させ、上記扉の開放動作に連動して上記搬送部材から離れた退避位置へ上記検出手段を移動させる移動手段と、
を備えていることを特徴とする画像形成装置。
【請求項６】
像担持体上に現像剤による像を形成する像形成手段と、
上記像担持体に沿って走行される搬送部材を有し、この搬送部材が上記像担持体に近接した作動位置と、上記像担持体から離間した退避位置と、の間で移動可能に設けられ、この搬送部材が上記作動位置へ配置された状態で、上記搬送部材上に保持した転写材を上記像担持体上の現像剤像へ搬送する搬送手段と、
上記搬送手段にて搬送される転写材へ上記像形成手段にて形成された現像剤像を転写する転写手段と、
上記像形成手段および転写手段を介して上記搬送部材上にパターン画像を形成するパターン画像形成手段と、
上記作動位置へ配置された搬送部材に対向して配置され、上記パターン画像形成手段にて上記搬送部材上に形成されたパターン画像を検出する検出手段と、
上記搬送部材が上記退避位置へ配置された状態で、上記検出手段を上記搬送部材から離れる方向へ付勢する付勢手段と、
上記搬送部材が上記退避位置から上記作動位置へ移動されるとき、この搬送部材に連動して上記付勢部材の付勢力に抗して上記検出手段を上記搬送部材に近接した読取位置へ移動させる移動手段と、
を備えていることを特徴とする画像形成装置。
【請求項７】
像担持体上に現像剤による像を形成する像形成手段と、
上記像担持体に沿って走行される搬送部材を有し、この搬送部材上に保持した転写材を上記像担持体上の現像剤像へ搬送する搬送手段と、
この搬送手段にて搬送される転写材へ上記像形成手段にて形成された現像剤像を転写する転写手段と、
上記像形成手段および転写手段を介して上記搬送部材上にパターン画像を形成するパターン画像形成手段と、
上記搬送部材に対向して配置され、上記パターン画像形成手段にて上記搬送部材上に形成されたパターン画像を検出する検出手段と、
この検出手段を上記搬送部材に近接対向した読取位置へ付勢する付勢手段と、
ジャム処理時に、上記付勢手段による付勢力に抗して、上記搬送部材から離れた退避位置へ上記検出手段を移動させる移動手段と、
を備えていることを特徴とする画像形成装置。
【請求項８】
複数の像担持体上に現像剤による像を形成する像形成手段と、
上記像形成手段にパターン画像を形成するパターン画像形成手段と、
このパターン画像形成手段により形成された画像を、上記複数の像坦持体と接触する無端ベルト上に転写する転写手段と、
上記無端ベルトに対向して配置され、上記パターン画像形成手段にて上記搬送部材上に形成されたパターン画像を検出する検出手段と、
この検出手段が上記無端ベルトに対向した検出端部に接触した状態で上記搬送部材との間に介在された第１部分を有し、この第１部分が、上記検出端部を上記無端ベルトに露出させる保護部材と、
ジャム処理時に移動される部材に連動して、上記検出端部が上記無端ベルトに露出する位置と、上記検出端部を上記第１部分が閉塞する位置と、の間で上記保護部材を移動させる移動手段と、
を備えていることを特徴とする画像形成装置。
【請求項９】
像担持体上に現像剤による像を形成する像形成手段と、
上記像担持体に沿って走行される搬送部材を有し、この搬送部材上に保持した転写材を上記像担持体上の現像剤像へ搬送する搬送手段と、
この搬送手段にて搬送される転写材へ上記像形成手段にて形成された現像剤像を転写する転写手段と、
上記像形成手段および転写手段を介して上記搬送部材上にパターン画像を形成するパターン画像形成手段と、
上記搬送部材に対向して配置され、上記パターン画像形成手段にて上記搬送部材上に形成されたパターン画像を検出する検出手段と、
この検出手段が上記搬送部材に対向した検出端部に接触した状態で上記搬送部材との間に介在された第１部分を有し、この第１部分が、上記検出端部を上記搬送部材に露出させる孔を有する保護部材と、
ジャム処理時に移動される部材に連動して、上記検出端部が上記孔を介して上記搬送部材に露出する位置と、上記検出端部を上記第１部分が閉塞する位置と、の間で上記保護部材を移動させる移動手段と、
を備えていることを特徴とする画像形成装置。
【手続補正２】
【補正対象書類名】明細書
【補正対象項目名】００１６
【補正方法】変更
【補正の内容】
【００１６】
また、この発明のうち請求項７記載の画像形成装置は、像担持体上に現像剤による像を形成する像形成手段と、上記像担持体に沿って走行される搬送部材を有し、この搬送部材上に保持した転写材を上記像担持体上の現像剤像へ搬送する搬送手段と、この搬送手段にて搬送される転写材へ上記像形成手段にて形成された現像剤像を転写する転写手段と、上記像形成手段および転写手段を介して上記搬送部材上にパターン画像を形成するパターン画像形成手段と、上記搬送部材に対向して配置され、上記パターン画像形成手段にて上記搬送部材上に形成されたパターン画像を検出する検出手段と、この検出手段を上記搬送部材に近接対向した読取位置へ付勢する付勢手段と、ジャム処理時に、上記付勢手段による付勢力に抗して、上記搬送部材から離れた退避位置へ上記検出手段を移動させる移動手段と、を備えている。
また、この発明のうち請求項８記載の画像形成装置は、複数の像担持体上に現像剤による像を形成する像形成手段と、上記像形成手段にパターン画像を形成するパターン画像形成手段と、このパターン画像形成手段により形成された画像を、上記複数の像坦持体と接触する無端ベルト上に転写する転写手段と、上記無端ベルトに対向して配置され、上記パターン画像形成手段にて上記搬送部材上に形成されたパターン画像を検出する検出手段と、この検出手段が上記無端ベルトに対向した検出端部に接触した状態で上記搬送部材との間に介在された第１部分を有し、この第１部分が、上記検出端部を上記無端ベルトに露出させる保護部材と、ジャム処理時に移動される部材に連動して、上記検出端部が上記無端ベルトに露出する位置と、上記検出端部を上記第１部分が閉塞する位置と、の間で上記保護部材を移動させる移動手段と、を備えている。
さらに、この発明のうち請求項９に記載の画像形成装置は、像担持体上に現像剤による像を形成する像形成手段と、上記像担持体に沿って走行される搬送部材を有し、この搬送部材上に保持した転写材を上記像担持体上の現像剤像へ搬送する搬送手段と、この搬送手段にて搬送される転写材へ上記像形成手段にて形成された現像剤像を転写する転写手段と、上記像形成手段および転写手段を介して上記搬送部材上にパターン画像を形成するパターン画像形成手段と、上記搬送部材に対向して配置され、上記パターン画像形成手段にて上記搬送部材上に形成されたパターン画像を検出する検出手段と、この検出手段が上記搬送部材に対向した検出端部に接触した状態で上記搬送部材との間に介在された第１部分を有し、この第１部分が、上記検出端部を上記搬送部材に露出させる孔を有する保護部材と、ジャム処理時に移動される部材に連動して、上記検出端部が上記孔を介して上記搬送部材に露出する位置と、上記検出端部を上記第１部分が閉塞する位置と、の間で上記保護部材を移動させる移動手段と、を備えている。